(57)【要約】【課題】撮影タイミングに制約を課さずに、ユーザが特定の構図で流し撮りを行うことを補助する技術を提供する。【解決手段】撮像手段と、マニュアルフォーカスモード（ＭＦモード）を含む複数のフォーカスモードのうちのいずれかを選択する選択手段と、流し撮りの補助機能の有効／無効を切り替える切替手段と、前記撮像手段で撮像された画像に基づいて第１の表示手段にライブビュー画像を表示する表示制御手段と、を備え、前記ＭＦモードが選択されている間に、前記補助機能が有効である場合、前記表示制御手段は、前記ライブビュー画像中の所定の位置を示す第１の位置情報を前記ライブビュー画像に重畳して表示し、前記補助機能が無効である場合、前記表示制御手段は、前記第１の位置情報を表示しないことを特徴とする撮像装置を提供する。【選択図】図５
2018037807.tif 000002
【特許請求の範囲】
【請求項１】
撮像手段と、
マニュアルフォーカスモード（ＭＦモード）を含む複数のフォーカスモードのうちのいずれかを選択する選択手段と、
流し撮りの補助機能の有効／無効を切り替える切替手段と、
前記撮像手段で撮像された画像に基づいて第１の表示手段にライブビュー画像を表示する表示制御手段と、
を備え、
前記ＭＦモードが選択されている間に、
前記補助機能が有効である場合、前記表示制御手段は、前記ライブビュー画像中の所定の位置を示す第１の位置情報を前記ライブビュー画像に重畳して表示し、
前記補助機能が無効である場合、前記表示制御手段は、前記第１の位置情報を表示しない
ことを特徴とする撮像装置。
【請求項２】
前記撮像手段で連続的に撮像された複数の画像に基づいて、前記所定の位置における被写体の動きを検出する検出手段と、
前記検出された動きを打ち消すように、前記撮像手段へ光を導く光学系の光軸と前記撮像手段との位置関係を制御する制御手段と、
を更に備えることを特徴とする請求項１に記載の撮像装置。
【請求項３】
前記制御手段は、前記光学系に含まれるレンズを移動させることにより、前記位置関係を制御する
ことを特徴とする請求項２に記載の撮像装置。
【請求項４】
前記複数のフォーカスモードは、オートフォーカスモード（ＡＦモード）を含み、
前記ＡＦモードが選択されている間に、前記補助機能が有効である場合、
前記表示制御手段は、ＡＦの対象領域を示す第２の位置情報を前記ライブビュー画像に重畳して表示し、
前記検出手段は、前記ＡＦの対象領域における被写体の動きを検出する
ことを特徴とする請求項２又は３に記載の撮像装置。
【請求項５】
前記第１の位置情報の外観と前記第２の位置情報の外観とは異なる
ことを特徴とする請求項４に記載の撮像装置。
【請求項６】
前記第１の位置情報は、前記ライブビュー画像中の所定の領域の位置を示す情報であり、
前記撮像装置は、ユーザ指示に従って前記所定の領域の位置及び大きさの少なくとも一方を変更する変更手段
を更に備えることを特徴とする請求項１乃至５のいずれか１項に記載の撮像装置。
【請求項７】
前記表示制御手段は、前記補助機能が有効に切り替えられたことに応じて、前記ライブビュー画像の表示を開始する
ことを特徴とする請求項１乃至６のいずれか１項に記載の撮像装置。
【請求項８】
前記表示制御手段は、前記ライブビュー画像の表示／非表示を切り替え可能に構成され、
前記ライブビュー画像が非表示の場合、前記ＭＦモードが選択されている間に、
前記補助機能が有効である場合、前記表示制御手段は、前記所定の位置を示す第３の位置情報をファインダ内の第２の表示手段に表示し、
前記補助機能が無効である場合、前記表示制御手段は、前記第３の位置情報を表示しない
ことを特徴とする請求項１乃至７のいずれか１項に記載の撮像装置。
【請求項９】
撮像手段を備える撮像装置が実行する制御方法であって、
マニュアルフォーカスモード（ＭＦモード）を含む複数のフォーカスモードのうちのいずれかを選択する選択工程と、
流し撮りの補助機能の有効／無効を切り替える切替工程と、
前記撮像手段で撮像された画像に基づいて第１の表示手段にライブビュー画像を表示する表示制御工程と、
を備え、
前記ＭＦモードが選択されている間に、
前記補助機能が有効である場合、前記表示制御工程では、前記ライブビュー画像中の所定の位置を示す第１の位置情報を前記ライブビュー画像に重畳して表示し、
前記補助機能が無効である場合、前記表示制御工程では、前記第１の位置情報を表示しない
ことを特徴とする制御方法。
【請求項１０】
コンピュータを、請求項１乃至８のいずれか１項に記載の撮像装置の撮像手段を除く各手段として機能させるためのプログラム。
【請求項１１】
コンピュータを、請求項１乃至８のいずれか１項に記載の撮像装置の撮像手段を除く各手段として機能させるためのプログラムを記録したコンピュータが読み取り可能な記憶媒体。
【発明の詳細な説明】
【技術分野】
【０００１】
本発明は、撮像装置、制御方法、プログラム、及び記憶媒体に関する。
【背景技術】
【０００２】
移動している被写体のスピード感を表現する静止画の撮影技術として、流し撮りがある。流し撮りは、ユーザが被写体の動きに合わせてカメラをパンニングすることにより、移動している被写体を静止させつつ背景のみを流した静止画を得ることを目的とする。一般的な流し撮りでは、ユーザは撮影したい被写体の移動速度に合わせてシャッター速度を通常より長めに調節して撮影を行う。しかし、被写体の移動速度とパンニング速度に差があると、背景だけでなく被写体までぶれた画像になってしまう。
【０００３】
特許文献１には、手ぶれ補正のための像振れ補正光学素子を有する撮像装置において、流し撮り撮影の際に、流し撮り撮影方向に撮影光軸が旋回移動するように像振れ補正光学素子を制御する流し撮り撮影支援機能が記載されている。
【先行技術文献】
【特許文献】
【０００４】
【特許文献１】特開２０１５−５２７３５号公報
【発明の概要】
【発明が解決しようとする課題】
【０００５】
流し撮りでは、動いている主被写体（撮像された画像では静止させたい被写体）を、ユーザが所望する位置に収めるように上手くパンニングして撮影することが難しい。特許文献１は、パンニング操作をユーザが行いやすくする支援ではないため、そもそもパンニング操作が大きく失敗すれば流し撮りが上手くいかない。また、ユーザが所望する位置で主被写体が静止して写るようにフレーミングすることも容易ではない。
【０００６】
本発明はこのような状況に鑑みてなされたものであり、特定の構図での流し撮りを行うことを補助する技術を提供することを目的とする。
【課題を解決するための手段】
【０００７】
上記課題を解決するために、本発明は、撮像手段と、マニュアルフォーカスモード（ＭＦモード）を含む複数のフォーカスモードのうちのいずれかを選択する選択手段と、流し撮りの補助機能の有効／無効を切り替える切替手段と、前記撮像手段で撮像された画像に基づいて第１の表示手段にライブビュー画像を表示する表示制御手段と、を備え、前記ＭＦモードが選択されている間に、前記補助機能が有効である場合、前記表示制御手段は、前記ライブビュー画像中の所定の位置を示す第１の位置情報を前記ライブビュー画像に重畳して表示し、前記補助機能が無効である場合、前記表示制御手段は、前記第１の位置情報を表示しないことを特徴とする撮像装置を提供する。
【０００８】
なお、その他の本発明の特徴は、添付図面及び以下の発明を実施するための形態における記載によって更に明らかになるものである。
【発明の効果】
【０００９】
本発明によれば、特定の構図での流し撮りを行いやすくすることが可能となる。
【図面の簡単な説明】
【００１０】
【図１】（ａ）デジタルカメラ１００の前面斜視図、（ｂ）デジタルカメラ１００の背面斜視図。
【図２】デジタルカメラ１００の構成例を示すブロック図。
【図３】デジタルカメラ１００が流し撮りを行う際の制御に関するフローチャート。
【図４】（ａ）警告メッセージの表示例を示す図、（ｂ）流し効果量設定画面の表示例を示す図。
【図５】（ａ）ＡＦ枠の表示例を示す図、（ｂ）補助枠の表示例を示す図、（ｃ）補助枠が非表示の状態を示す図。
【図６】補助枠の縮小及び拡大を示す図。
【図７】（ａ）合焦枠の表示例を示す図、（ｂ）ＡＦ失敗枠の表示例を示す図。
【図８】流し撮りモードの設定時の詳細な処理のフローチャート。
【図９】（ａ）撮影モード選択画面の表示例を示す図、（ｂ）ＬＶがＯＮの場合のＡＦ方式設定画面の表示例を示す図、（ｃ）ＬＶがＯＦＦの場合のＡＦ方式設定画面の表示例を示す図。
【発明を実施するための形態】
【００１１】
以下、添付図面を参照して、本発明の実施形態を説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１２】
図１に、本発明を適用可能な撮像装置の一例としてのデジタルカメラ１００の外観図を示す。図１（ａ）は、デジタルカメラ１００の前面斜視図であり、図１（ｂ）は、デジタルカメラ１００の背面斜視図である。図１において、表示部２８は、画像や各種情報を表示する、カメラ背面に設けられた表示部である。ファインダ外表示部４３は、カメラ上面に設けられた表示部であり、シャッター速度や絞りをはじめとするカメラの様々な設定値が表示される。シャッターボタン６１は、撮影指示を行うための操作部である。モード切替スイッチ６０は、各種モードを切り替えるための操作部である。端子カバー４０は、外部機器とデジタルカメラ１００とを接続する接続ケーブル等のためのコネクタ（不図示）を保護するカバーである。メイン電子ダイヤル７１は、操作部７０（図２を参照して後述）に含まれる回転操作部材であり、ユーザは、このメイン電子ダイヤル７１を回すことで、シャッター速度や絞りなどの設定値の変更等が行える。電源スイッチ７２は、デジタルカメラ１００の電源のＯＮ及びＯＦＦを切り替える操作部材である。サブ電子ダイヤル７３は、操作部７０に含まれる回転操作部材であり、選択枠の移動や画像送りなどを行うために使用される。十字キー７４は、操作部７０に含まれ、上、下、左、右部分をそれぞれ押し込み可能な十字キー（４方向キー）である。ユーザは、十字キー７４の特定の部分を押下することにより、押下した部分に応じた操作が可能である。ＳＥＴボタン７５は、操作部７０に含まれる押しボタンであり、主に選択項目の決定などに用いられる。ＬＶボタン７６は、操作部７０に含まれ、メニューボタンにおいてライブビュー（以下、ＬＶ）のＯＮとＯＦＦ（表示／非表示）を切り替えるボタンである。動画撮影モードにおいては、動画撮影（記録）の開始、停止の指示に用いられる。拡大ボタン７７は、操作部７０に含まれ、撮影モードのライブビュー表示（以下、ＬＶ表示）において拡大モードのＯＮとＯＦＦを切り替えると共に、拡大モード中の拡大率の変更を行うための操作ボタンである。拡大ボタン７７は、再生モードにおいては再生画像を拡大し、拡大率を増加させるための拡大ボタンとして機能する。縮小ボタン７８は、操作部７０に含まれ、拡大された再生画像の拡大率を低下させ、表示された画像を縮小させるためのボタンである。再生ボタン７９は、操作部７０に含まれ、撮影モードと再生モードとを切り替える操作ボタンである。ユーザは、撮影モード中に再生ボタン７９を押下することでデジタルカメラ１００を再生モードに移行し、記録媒体２００に記録された画像のうち最新の画像を表示部２８に表示させることができる。クイックリターンミラー１２は、システム制御部５０（図２を参照して後述）から指示されて、不図示のアクチュエータによりアップダウンされる。通信端子１０は、デジタルカメラ１００がレンズ側（着脱可能）と通信を行うための通信端子である。接眼ファインダ１６は、ユーザが、フォーカシングスクリーン１３（図２を参照して後述）を観察することで、レンズユニット１５０（図２を参照して後述）を通して得た被写体の光学像の焦点や構図の確認を行うための覗き込み型のファインダである。蓋２０２は、記録媒体２００を格納するスロットの蓋である。グリップ部９０は、ユーザがデジタルカメラ１００を構えた際に右手で握りやすい形状とした保持部である。
【００１３】
図２は、デジタルカメラ１００の構成例を示すブロック図である。図２において、レンズユニット１５０は、交換可能な撮影レンズを搭載するレンズユニットである。レンズ１０３は通常、複数枚のレンズから構成されるが、ここでは簡略化して１枚のレンズのみで示している。通信端子６は、レンズユニット１５０がデジタルカメラ１００側と通信を行うための通信端子であり、通信端子１０は、デジタルカメラ１００がレンズユニット１５０側と通信を行うための通信端子である。レンズユニット１５０は、この通信端子６，１０を介してシステム制御部５０と通信し、内部のレンズシステム制御回路４によって絞り駆動回路２を介して絞り１の制御を行い、ＡＦ駆動回路３を介してレンズ１０３の位置を変位させることで焦点を合わせる。
【００１４】
ＡＥセンサ１７は、レンズユニット１５０を通した被写体の輝度を測光する。焦点検出部１１は、システム制御部５０にデフォーカス量情報を出力する。システム制御部５０は、デフォーカス量情報に基づいてレンズユニット１５０を制御し、位相差ＡＦを行う。
【００１５】
クイックリターンミラー１２は、露光、ＬＶ撮影（ライブビュー撮影）、動画撮影の際に、システム制御部５０から指示されて、不図示のアクチュエータによりアップダウンされる。クイックリターンミラー１２は、レンズ１０３から入射した光束を接眼ファインダ１６側と撮像部２２側とに切り替えるためのミラーである。クイックリターンミラー１２は通常時は接眼ファインダ１６へと光束を導くよう反射させるように配されているが、撮影が行われる場合やＬＶ表示の場合には、撮像部２２へと光束を導くように上方に跳ね上がり光束中から待避する（ミラーアップ）。また、クイックリターンミラー１２は、その中央部が光の一部を透過できるようにハーフミラーとなっており、光束の一部を、焦点検出を行うための焦点検出部１１に入射するように透過させる。
【００１６】
ユーザは、ペンタプリズム１４と接眼ファインダ１６を介して、フォーカシングスクリーン１３を観察することで、レンズユニット１５０を通して得た被写体の光学像の焦点や構図の確認が可能である。
【００１７】
シャッター１０１は、システム制御部５０の制御で撮像部２２の露光時間を自由に制御できるフォーカルプレーンシャッターである。撮像部２２は、光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１８】
画像処理部２４は、Ａ／Ｄ変換器２３からのデータ、又は、メモリ制御部１５からのデータに対し、所定の画素補間、縮小のようなリサイズ処理、色変換処理などを行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１９】
Ａ／Ｄ変換器２３からの出力データは、画像処理部２４及びメモリ制御部１５を介して、或いは、メモリ制御部１５を介して直接、メモリ３２に書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像及び音声を格納するのに十分な記憶容量を備えている。また、メモリ３２は、画像表示用のメモリ（ビデオメモリ）を兼ねている。
【００２０】
Ｄ／Ａ変換器１９は、メモリ３２に格納されている画像表示用のデータをアナログ信号に変換して表示部２８に供給する。こうして、メモリ３２に書き込まれた表示用の画像データは、Ｄ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、表示部２８は電子ビューファインダとして機能する。これにより、スルー画像表示（ＬＶ表示）を行える。
【００２１】
ファインダ内表示部４１には、ファインダ内表示部駆動回路４２を介して、現在オートフォーカスが行われている測距点を示す枠（ＡＦ枠）や、カメラの設定状態を表すアイコンなどが表示される。ファインダ外表示部４３には、ファインダ外表示部駆動回路４４を介して、シャッター速度や絞りをはじめとするカメラの様々な設定値が表示される。
【００２２】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここで言うプログラムとは、本実施形態にて後述する各種フローチャートを実行するためのプログラムのことである。
【００２３】
システム制御部５０は、少なくとも１つのプロセッサを有する制御部であり、デジタルカメラ１００全体を制御する。システム制御部５０は、前述した不揮発性メモリ５６に記録されたプログラムを実行することで、後述する本実施形態の各処理を実現する。また、システム制御部５０は、メモリ３２、Ｄ／Ａ変換器１９、表示部２８等を制御することにより表示制御も行う。システムメモリ５２は、ＲＡＭなどにより実装されるシステムメモリである。システムメモリ５２には、システム制御部５０の動作用の定数、変数、不揮発性メモリ５６から読み出したプログラム等を展開する。
【００２４】
システムタイマー５３は、各種制御に用いる時間や、内蔵された時計の時間を計測する計時部である。モード切替スイッチ６０、第１シャッタースイッチ６２、第２シャッタースイッチ６４、及び操作部７０は、システム制御部５０に各種の動作指示を入力するための操作部材である。
【００２５】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。デジタルカメラ１００は、モード切替スイッチ６０で、これらのモードのいずれかに直接切り替えられるように構成される。或いは、モード切替スイッチ６０で撮影モードの一覧画面に一旦切り換えた後に、表示された複数のモードのいずれかを選択し、他の操作部材を用いて切り替えるようにデジタルカメラ１００を構成してもよい。同様に、動画撮影モードにも複数のモードが含まれていてもよい。
【００２６】
第１シャッタースイッチ６２は、デジタルカメラ１００に設けられたシャッターボタン６１の操作途中、いわゆる半押し（撮影準備指示）でＯＮとなり、第１シャッタースイッチ信号ＳＷ１を発生する。システム制御部５０は、第１シャッタースイッチ信号ＳＷ１に応じて、ＡＦ（オートフォーカス）処理、ＡＥ（自動露出）処理、ＡＷＢ（オートホワイトバランス）処理、ＥＦ（フラッシュプリ発光）処理等の動作を開始する。
【００２７】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２に応じて、撮像部２２からの信号読み出しから記録媒体２００に画像データを書き込むまでの一連の撮影処理の動作を開始する。
【００２８】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。ユーザは、表示部２８に表示されたメニュー画面と、上下左右の４方向ボタンやＳＥＴボタンとを用いて直感的に各種設定を行うことができる。
【００２９】
操作部７０は、ユーザからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、縮小ボタン７８、再生ボタン７９。
【００３０】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３１】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインタフェースである。記録媒体２００は、撮影された画像を記録するためのメモリカード等の記録媒体であり、半導体メモリや磁気ディスク等から構成される。
【００３２】
通信部５４は、無線又は有線ケーブルによって外部機器と接続し、映像信号や音声信号の送受信を行う。通信部５４は、無線ＬＡＮ（Ｌｏｃａｌ  Ａｒｅａ  Ｎｅｔｗｏｒｋ）やインターネットとも接続可能である。通信部５４は、撮像部２２で撮像した画像（スルー画像を含む）や、記録媒体２００に記録された画像を送信可能であり、また、外部機器から画像データやその他の各種情報を受信することができる。
【００３３】
姿勢検知部５５は、重力方向に対するデジタルカメラ１００の姿勢、及び、デジタルカメラ１００の動きを検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録したりすることが可能である。また、姿勢検知部５５での検知結果に応じて、デジタルカメラ１００がパンしているか、チルトしているか、前後に動いているかなどが判別可能である。姿勢検知部５５としては、加速度センサやジャイロセンサなどを用いることができる。
【００３４】
ここで、デジタルカメラ１００の流し撮りの補助機能を有効化する方法について説明する。デジタルカメラ１００は、モード切替スイッチ６０で切り替え可能な撮影モードの１つとして流し撮りモードを持ち、撮影モードが流し撮りモードに設定されると、システム制御部５０は流し撮りの補助機能を有効化する。しかしながら、本実施形態はこれに限定されない。流し撮りの補助機能を有効化する他の方法としては、例えば、表示部２８に表示される設定画面の１つとして流し撮り設定画面を提供し、補助機能の有効／無効をユーザに設定させる方法が考えられる。或いは、システム制御部５０が、姿勢検知部５５によってデジタルカメラ１００の運動状態を検出し、例えば、カメラが一方向に一定速度で運動している場合に、流し撮り補助機能を有効化する等の方法が考えられる。或いは、システム制御部５０が、撮像部２２から読み出した信号を処理することで得られたＬＶ画像（ライブビュー画像）を用いて、デジタルカメラ１００が一方向に一定速度で運動している場合に、流し撮り補助機能を有効化する等の方法が考えられる。
【００３５】
次に、図３のフローチャートを用いて、デジタルカメラ１００が流し撮りを行う際の制御について説明する。本フローチャートの処理は、不揮発性メモリ５６に記録されたプログラムをシステムメモリ５２に展開してシステム制御部５０が実行することで実現する。デジタルカメラ１００の撮影モードが流し撮りモードに設定されると、本フローチャートの処理が開始する。
【００３６】
Ｓ３０１で、システム制御部５０は、ＬＶがＯＮであるか否かを判定する。ＬＶのＯＮとＯＦＦとは、ＬＶボタン７６（図１（ｂ）参照）により切り替え可能である。ＬＶがＯＮの場合、処理はＳ３０２に進み、そうでない場合、処理はＳ３０４に進む。なお、システム制御部５０は、撮影モードが流し撮りモードに設定されたことに応じて（即ち、流し撮りの補助機能が有効に切り替えられたことに応じて）、ＬＶ表示を開始してもよい。
【００３７】
Ｓ３０２で、システム制御部５０は、装着されているレンズユニット１５０が流し撮り対応レンズか否かを判定する。対応レンズである場合、処理はＳ３０４に進み、そうでない場合、処理はＳ３０３に進む。
【００３８】
Ｓ３０３で、システム制御部５０は、表示部２８に、流し撮り対応レンズではないレンズが装着されている旨を警告する警告メッセージを表示する。図４（ａ）は、警告メッセージの表示例を示す図である。図４（ａ）に示すように、システム制御部５０は、ＬＶ画像に重畳して警告メッセージ４０１を表示する。なお、警告メッセージ４０１が何度も表示されると煩わしいため、デジタルカメラ１００の電源ＯＮ後に最初に処理がＳ３０２に進んだときのみ警告メッセージ４０１を表示するようにシステム制御部５０を構成してもよい。
【００３９】
Ｓ３０４で、システム制御部５０は、デジタルカメラ１００のフォーカスモードがＡＦモード（オートフォーカスモード）であるかＭＦモード（マニュアルフォーカスモード）であるかを判定する。ＡＦモードの場合、処理はＳ３０５に進み、ＭＦモードの場合、処理はＳ３０６に進む。
【００４０】
Ｓ３０５で、システム制御部５０は、表示部２８に、ＡＦの対象領域を示すＡＦ枠（第２の位置情報）を表示する。図５（ａ）は、ＡＦ枠の表示例を示す図である。図５（ａ）には、主被写体５０１と、背景被写体５０５が写ったＬＶ画像が表示されている。実世界では主被写体５０１は移動しており、背景被写体５０５は静止している。ただし、流し撮りで主被写体５０１を一定の位置に収めるべくカメラをパンニングする場合は、パンニングによって変化する撮影範囲に対して主被写体５０１は相対的に静止または略位置が変わらず、背景被写体５０５は撮影範囲に対して相対的に移動する。流し撮りが上手くいった場合には、主被写体５０１がブレ無く、背景被写体５０５は流し撮りでのパンニングの方向にブレた映像となる。アイコン５１０は、撮影モードアイコンの一種であり、デジタルカメラ１００の撮影モードが流し撮りモードに設定されていることを示す流し撮りアイコンである。アイコン５１１は、流し撮りモードにおける流し効果量として現在設定されている設定値を示している。アイコン５１２は、フォーカスモードアイコンの一種である。アイコン５１２は、現在デジタルカメラ１００のフォーカスモードがＡＦモード（オートフォーカスモード）に設定されていることを示す（より詳しくは、ＡＦ方式がライブゾーンＡＦに設定されている）ＡＦモードアイコンである。アイコン５１３は、デジタルカメラ１００に設定されている撮影設定（撮影条件）を示す表示アイテムの一種であり、現在設定されている画質設定（記録画素数と圧縮率）を示している。図示の例以外にも、撮影設定に関する他の情報表示を行っても良い。図５（ａ）に示すように、システム制御部５０は、ＬＶ画像に重畳して、ＡＦを行う対象領域にＡＦ枠５０２を表示する。ＡＦ枠５０２は、ＡＦ検出範囲とベクトル検出範囲とを兼ねる（ベクトル検出については、Ｓ３０８において後述する）。ＡＦ枠は、１点ＡＦでは、ユーザが任意に指定した位置に表示される（初期位置は中央）。ゾーンＡＦ、ラージゾーンＡＦでは、ユーザが選択したゾーンを示す枠（ＡＦを行う対象の候補枠）として表示される。Ｓ３０５では、撮影モードが流し撮りモードに設定されているため、ゾーンＡＦ（ラージゾーンＡＦ）において選択されているゾーンを示す枠が表示される。ゾーンを示す枠を表示した状態でＡＦを行うとゾーン内の測距ポイントに対して測距が行われ、ある程度同じ距離にあると判定される被写体に対して合焦するようにＡＦが行われる。
【００４１】
Ｓ３０６で、システム制御部５０は、表示部２８に補助枠（第１の位置情報）を表示する。補助枠は、ライブビュー画像中の所定の位置を示す。図５（ｂ）は、補助枠の表示例を示す図である。なお、図５（ｂ）では、フォーカスモードがＭＦモードに設定されているため、フォーカスモードアイコンは、ＭＦに設定されていることを示すＭＦモードアイコン５１４が表示される。図５（ｂ）に示すように、システム制御部５０は、ＬＶ画像に重畳して、所定の領域に補助枠５０３を表示する。本実施形態では、Ｓ３０５のＡＦ枠５０２と同じ領域に表示するものとする。すなわち、図５（ａ）の状態からフォーカスモードをＭＦに切り替えた場合には図５（ｂ）の表示となる。補助枠５０３は、ベクトル検出範囲に対応する。ＡＦが行われないことを明示的にユーザに認識させるために、システム制御部５０は、補助枠５０３の外観を、Ｓ３０５で表示されるＡＦ枠５０２の外観と異なるようにする。
【００４２】
一方、フォーカスモードとしてＭＦモードが選択されている間に、撮影モードが流し撮りモードでない場合（流し撮りの補助機能が無効の場合）、システム制御部５０は、補助枠５０３を表示しない。図５（ｃ）に、撮影モードが流し撮りモード出ない場合の例として、オート撮影モードに設定されており、ＬＶオン、ＭＦモードの場合の表示部２８における表示例を示す。撮影モードアイコンは、オート撮影モードに設定されていることを示すオートアイコン５２０が表示される。流し撮りの補助機能は無効であるため、流し効果量を示すアイコン５１１は表示されない。フォーカスモードがＭＦモードに設定されているため、ＭＦモードアイコン５１４が表示される。補助枠５０３は表示されない。
【００４３】
このように、システム制御部５０は、流し撮りの補助機能が有効となっていることに応じて補助枠５０３を表示することにより、撮影モードが流し撮りモードであることを明示的にユーザに通知することができる。また、ＬＶ画面内に補助枠５０３が存在するため、ユーザは、補助枠５０３の位置で主被写体を捉えることが容易になる。即ち、ユーザは、自分の狙い通りの構図になるように予め補助枠５０３の位置を設定し（詳細はＳ３１１において後述）、補助枠５０３の位置に主被写体を収められるようにデジタルカメラ１００のパンニング操作を行う。従って、ユーザが主被写体を狙った構図通りに捉えることができる可能性が高くなる。
【００４４】
なお、ＬＶがＯＦＦ（非表示）の場合、システム制御部５０は、ファインダ内表示部４１に、所定の領域を示す補助枠（第３の領域情報）を表示してもよい。ＬＶが非表示の場合（ＬＶの撮像を行っていない場合）、一般的にはベクトル検出が不可能であるため、この補助枠は、ベクトル検出範囲とは関連しないが、ユーザが主被写体を狙った構図通りに捉えることを補助することはできる。また、ＬＶが非表示の場合であってもベクトル検出を実行可能な補助センサなどをデジタルカメラ１００が備える場合、ファインダ内表示部４１に表示される補助枠は、ベクトル検出範囲を兼ねることができる。なお、撮影モードが流し撮りモードでない場合（流し撮りの補助機能が無効の場合）、システム制御部５０は、ファインダ内表示部４１に補助枠を表示しない。
【００４５】
Ｓ３０７で、システム制御部５０は、装着されているレンズユニット１５０が流し撮り対応レンズか否かを判定する。対応レンズである場合、処理はＳ３０８に進み、そうでない場合、処理はＳ３０９に進む。
【００４６】
Ｓ３０８で、システム制御部５０は、ベクトル検出を開始する。具体的には、システム制御部５０は、姿勢検知部５５に含まれる角速度センサを用いてパンニング動作中のデジタルカメラ１００の角速度を検出した後、撮像部２２の撮像面上の被写体の移動量を検出する。被写体の移動量を検出は、撮像部２２により連続的に撮像された複数の画像に基づいて行われる。そして、システム制御部５０は、デジタルカメラ１００の角速度と被写体の移動量とに基づき、被写体の角速度を算出する。システム制御部５０が被写体の移動量を検出する領域（ベクトル算出範囲）は、Ｓ３０５で表示したＡＦ枠、又はＳ３０６で表示した補助枠に対応する。
【００４７】
Ｓ３０９で、システム制御部５０は、十字キー７４が操作されたか否かを判定する。十字キー７４が操作された場合、処理はＳ３１１に進み、そうでない場合、処理はＳ３１０に進む。
【００４８】
Ｓ３１０で、システム制御部５０は、表示部２８のタッチパネルに対するタッチ操作があったか否かを判定する。タッチ操作があった場合、処理はＳ３１１に進み、タッチ操作がない場合、処理はＳ３１２に進む。なお、表示部２８のタッチパネルは、操作部７０に含まれる。
【００４９】
Ｓ３１１で、システム制御部５０は、十字キー７４の押された方向、又はタッチ操作の位置に従ってＡＦ枠又は補助枠を移動させる。補助枠が移動可能な範囲は、システム制御部５０がベクトル検出を実行可能な範囲である。また、システム制御部５０は、タッチ操作に応じて補助枠の大きさを変更してもよい。例えば、システム制御部５０は、補助枠に対してピンチインが行われた場合、補助枠を縮小し、補助枠に対してピンチアウトが行われた場合、補助枠を拡大する。図６（ａ）及び図６（ｂ）は、補助枠の縮小及び拡大を示す図である。このように、システム制御部５０は、ユーザ指示に従って、ＡＦ枠又は補助枠の位置及び大きさの少なくとも一方を変更することができる。図６（ａ）のように、補助枠５０３のサイズを小さくし、主被写体５０１である自動車の先端部分を捉えたい位置に補助枠５０３を移動させれば、ユーザは自動車の先端部分を目印としてパンニングを行うことができる。図６（ｂ）のように、補助枠５０３のサイズを自動車の大きさに合わせて大きくし、主被写体５０１である自動車の全体を捉えたい位置に補助枠５０３を移動させれば、ユーザは自動車の全体を目印としてパンニングを行うことができる。なお、ＡＦ枠又は補助枠の位置をユーザが変更でき、大きさは被写体検出の結果に応じて自動的に変更されるものとしてもよい。
【００５０】
Ｓ３１２で、システム制御部５０は、ＳＥＴボタン７５が操作されたか否かを判定する。ＳＥＴボタン７５が操作された場合、処理はＳ３１３に進み、そうでない場合、処理はＳ３１４に進む。
【００５１】
Ｓ３１３で、システム制御部５０は、表示部２８に流し効果量設定画面を表示し、ユーザからの流し効果量の設定変更操作を受け付ける。変更操作があると、ユーザが選択した流し効果量をシステムメモリ５２に保存する。図４（ｂ）は、流し効果量設定画面の表示例を示す図である。図４（ｂ）の例では、現在システムメモリ５２に保存されている設定値は「中」である。ここでは流し効果量を３段階で示しているが、段数は何段であっても構わない。設定された流し効果量が小さいほど、背景が流れる量が小さくなる。即ち、シャッター速度が短くなる。反対に、設定された流し量が大きいほど、背景が流れる量が大きくなる。即ち、シャッター速度が長くなる。
【００５２】
Ｓ３１４で、システム制御部５０は、フォーカスモード切替指示を受信したか否かを判定する。ユーザは、例えば、レンズユニット１５０に備えられたフォーカススイッチを操作してフォーカスモードを選択することにより、フォーカスモード切替指示を行うことができる。レンズユニット１５０は、フォーカススイッチの操作に応じて、通信端子６，１０を介してシステム制御部５０にフォーカスモード切替指示を送信する。システム制御部５０がフォーカスモード切替指示を受信した場合、処理はＳ３３０に進み、そうでない場合、処理はＳ３１５に進む。Ｓ３３０で、システム制御部５０は、フォーカスモード切替指示に応じてフォーカスモードを切り替え、切り替えられたフォーカスモードを不揮発性メモリ５６に記録する。その後、処理はＳ３０４に進む。
【００５３】
Ｓ３１５で、システム制御部５０は、シャッターボタン６１が半押しされたか否かを判定する。シャッターボタン６１が半押しされた場合、処理はＳ３１６に進み、そうでない場合、処理はＳ３０９に進む。
【００５４】
Ｓ３１６で、システム制御部５０は、デジタルカメラ１００のフォーカスモードがＡＦモードであるかＭＦモードであるかを判定する。ＡＦモードの場合、処理はＳ３１７に進み、ＭＦモードの場合、処理はＳ３２０に進む。
【００５５】
Ｓ３１７で、システム制御部５０は、選択されているゾーンでＡＦ動作を実行し、ＡＦ動作が成功したか否かを判定する。成功の場合（合焦した場合）、処理はＳ３１８に進み、失敗の場合（合焦しなかった場合）、処理はＳ３１９に進む。
【００５６】
Ｓ３１８で、システム制御部５０は、ＡＦが成功したことを示す枠（合焦枠）を表示部２８に表示する。図７（ａ）は、合焦枠の表示例を示す図である。図７（ａ）において、合焦枠７０１は、設定ゾーン内でＡＦを行った位置を示す。
【００５７】
Ｓ３１９で、システム制御部５０は、ＡＦが失敗したことを表す枠（ＡＦ失敗枠）を表示部２８に表示する。図７（ｂ）は、ＡＦ失敗枠の表示例を示す図である。図７（ｂ）において、ＡＦ失敗枠７２１は、ＡＦが失敗したことを表現している。ＡＦが成功したか失敗したかを明示的にユーザに認識させるために、システム制御部５０は、ＡＦ失敗枠７２１の外観を、Ｓ３１８で表示される合焦枠７０１の外観と異なるようにする。
【００５８】
Ｓ３２０で、システム制御部５０は、シャッターボタン６１が全押しされたか否かを判定する。シャッターボタン６１が全押しされた場合、処理はＳ３２１に進み、そうでない場合、処理はＳ３１５に進む。
【００５９】
Ｓ３２１で、システム制御部５０は、装着されているレンズユニット１５０が流し撮り対応レンズか否かを判定する。対応レンズである場合、処理はＳ３２２に進み、そうでない場合、処理はＳ３２３に進む。
【００６０】
Ｓ３２２で、システム制御部５０は、ベクトル検出結果に基づいて、光学系のレンズ１０３に含まれる光軸シフトレンズをシフトさせる。即ち、システム制御部５０は、姿勢検知部５５に含まれる角速度センサの出力で判別されるデジタルカメラ１００の動き方向と、その際のＬＶ画像の解析結果の少なくとも一方に基づき、カメラの動きと同じ方向に動いている被写体を抽出し、主被写体と判定する。そして主被写体について算出した角速度と、姿勢検知部５５に含まれる角速度センサの出力との差分（デジタルカメラ１００のパンニングと主被写体の移動との相対速度）に従って光軸シフトレンズを移動させる。これにより、デジタルカメラ１００のパンニング速度と主被写体の移動速度との差を補正する。これにより、ベクトル検出範囲（ＡＦ枠又は補助枠）における主被写体の動きを打ち消し、主被写体のぶれを抑制することができる。光軸シフトレンズのシフトは、露光中に繰り返し行われる。なお、システム制御部５０は、光軸シフトレンズの代わりに、又はこれに加えて、撮像部２２を移動させてもよい。換言すると、システム制御部５０は、主被写体の動きを打ち消すように、光軸シフトレンズと撮像部２２の少なくとも一方を移動させることにより光軸と撮像部２２との位置関係を制御する。このようにすることで、抽出された主被写体について像ブレが少なくなり、背景の被写体はパンニングよって像ブレが発生して１方向に流れるような描写となるため、主被写体の躍動感を表現した画像を得ることができる。
【００６１】
Ｓ３２３で、システム制御部５０は、撮影処理を行う。具体的には、システム制御部５０は、Ｓ３１３で設定された流し効果量と、測光結果とに基づいてシャッター速度を決定する。そして、システム制御部５０は、撮像部２２を用いて、決定されたシャッター速度に対応する時間の露光を行う。なお、前述の通り、レンズユニット１５０が流し撮り対応レンズである場合、Ｓ３２３の露光が行われている間、Ｓ３２２の光軸シフトレンズのシフトが繰り返し行われる。
【００６２】
Ｓ３２４で、システム制御部５０は、Ｓ３２３で撮影した画像を表示部２８に表示する。表示時間は、例えば数秒間である。
【００６３】
Ｓ３２５で、システム制御部５０は、流し撮りモードの終了指示を受信したか否かを判定する。ユーザは、例えば、操作部７０を操作することにより、流し撮りモードの終了指示を行うことができる。システム制御部５０が流し撮りモードの終了指示を受信した場合、本フローチャートの処理は終了する。そうでない場合、処理はＳ３０９に進む。
【００６４】
次に、図８を参照して、流し撮りモードの設定時の詳細な処理について説明する。本フローチャートの処理は、不揮発性メモリ５６に記録されたプログラムをシステムメモリ５２に展開してシステム制御部５０が実行することで実現する。
【００６５】
Ｓ８０１で、システム制御部５０は、表示部２８に撮影モード選択画面を表示し、撮影モード選択画面において流し撮りモードが選択されたか否かを判定する。図９（ａ）は、撮影モード選択画面の表示例を示す図である。図９（ａ）に示すように、撮影モード選択画面は、風景モードアイコン９０１、流し撮りモードアイコン９０２、集合写真モードアイコン９０３、及び料理モードアイコン９０４を含む。流し撮りモードアイコン９０２は、他のアイコンとは異なり太枠で表現されているが、これは、流し撮りモードアイコン９０２が選択されていることを表している。メッセージ９０５は、選択されているアイコンに対応する撮影モードを表示する。ユーザは、例えばＳＥＴボタン７５の押下により、選択を確定することができる。システム制御部５０は、選択されたアイコンに対応する撮影モードに最適な設定値を撮影パラメータに設定する。撮影パラメータの一例として、ＡＦ方式やＡＦ動作が挙げられる。流し撮りモードが選択された際の設定値については、Ｓ８０３〜Ｓ８０５を参照して後述する。流し撮りモードが選択された場合、処理はＳ８０２に進み、そうでない場合、処理はＳ８０６に進む。
【００６６】
Ｓ８０２で、システム制御部５０は、ＬＶがＯＮであるか否かを判定する。ＬＶがＯＮの場合、処理はＳ８０３に進み、そうでない場合、処理はＳ８０４に進む。ＬＶのＯＮとＯＦＦとは、ＬＶボタン７６により切り替え可能である。また、システム制御部５０は、撮影モードが流し撮りモードに設定されたことに応じてＬＶをＯＮにし、ＬＶ表示を開始してもよい。ベクトル検出は撮像面で行うので、ＬＶがＯＮになると光軸シフトレンズのシフトが可能になり、ユーザのパンニング操作による画像ブレの抑制ができるからである。
【００６７】
Ｓ８０３で、システム制御部５０は、ＡＦ方式をライブゾーンＡＦに設定する。設定値は、システムメモリ５２に保存される。
【００６８】
流し撮りモードに設定されていない場合は、ＬＶがＯＮの場合は、ＡＦ方式として、顔＋追尾優先ＡＦ（顔ＡＦ）、ライブゾーンＡＦ、ライブ１点ＡＦのいずれかが選択できる。ただし、Ｓ８０３で説明したように、流し撮りモードに切り替えたことに応じて、ＡＦ方式はライブゾーンＡＦに切り替えられて固定され、顔＋追尾優先ＡＦ（顔ＡＦ）、ライブ１点ＡＦは選択できなくなる。
【００６９】
図９（ｂ）に、流し撮りモードに設定しており、ＬＶがＯＮの状態で、ユーザ操作に応じてＡＦ方式設定画面を表示した場合の表示例を示す。ＡＦ方式設定画面は、アイコン９２１〜９２３を含む。アイコン９２１は、顔＋追尾優先ＡＦ（顔ＡＦ）を示す。顔＋追尾優先ＡＦ（顔ＡＦ）において、システム制御部５０は、ＬＶ画像に存在する人の顔を検知してピント合わせ（焦点調節）を行う。顔が動くとＡＦ枠（焦点調節位置）も動いて顔を追尾する。複数の顔を検知している時は、ＡＦ測距点（ＡＦ枠、焦点調節位置）に左右の矢印マークが表示され、ユーザは十字キー７４の操作に応じてＡＦ枠を設定する顔を変更できる。また、ユーザはタッチ操作により、顔又は被写体を選ぶこともできる。アイコン９２２は、ライブゾーンＡＦを示す。ライブゾーンＡＦにおいて、システム制御部５０は、撮影エリアを複数のゾーンに分け、ユーザに選択されたゾーンにあるＡＦ枠を用いてピントを合わせる。ＳＥＴボタン７５が押下されると、ＡＦ枠は中央の枠に戻る。アイコン９２３は、ライブ１点ＡＦを示す。ライブ１点ＡＦにおいて、システム制御部５０は、ユーザ操作に応じてＬＶ画像上の任意の位置に置かれた１点のＡＦ枠でピント合わせを行う。図９（ｂ）の例では、流し撮りモードが設定されているため、システム制御部５０は、アイコン９２２（ライブゾーンＡＦ）以外のアイコンを選択不可能にし、そのような状態となっている旨のガイドを表示している。流し撮りでは被写体が動くため、１点ＡＦでは被写体を捉えづらく、広い範囲でＡＦ対象の被写体を検出するライブゾーンＡＦが好ましいためである。なお、流し撮りモード以外の撮影モードに設定されている場合（流し撮りの補助機能が無効となっている場合）には、顔＋追尾優先ＡＦ（顔ＡＦ）とライブ１点ＡＦも選択可能である。すなわち、流し撮りモード以外の撮影モードに設定されている場合（流し撮りの補助機能が無効となっている場合）には、ＡＦ方式設定画面はアイコン９２１とアイコン９２３も選択可能な状態で表示される。
【００７０】
Ｓ８０４で、システム制御部５０は、ＡＦ方式をラージゾーンＡＦ（ゾーン任意選択）に設定する。設定値は、システムメモリ５２に保存される。流し撮りモードに設定されていない場合は、ＬＶがＯＦＦの場合は、ＡＦ方式として、１点ＡＦ（任意選択）、ゾーンＡＦ（ゾーン任意選択）、ラージゾーンＡＦ（ゾーン任意選択）、自動選択ＡＦのいずれかが選択できる。ただし、Ｓ８０４で説明したように、流し撮りモードに切り替えたことに応じて、ＡＦ方式はラージゾーンＡＦ（ゾーン任意選択）に一旦切り替えられる。ただし、その後のユーザ操作に応じて、他のＡＦ方式に切り替えることもできる。
【００７１】
図９（ｃ）に、流し撮りモードに設定しており、ＬＶがＯＦＦの状態で、ユーザ操作に応じてＡＦ方式設定画面を表示した場合の表示例を示す。ＡＦ方式設定画面は、アイコン９４１〜９４４を含む。アイコン９４１は、１点ＡＦ（任意選択）を示す。１点ＡＦ（任意選択）において、システム制御部５０は、ピント合わせに使うＡＦ枠１点を選択する。アイコン９４２は、ゾーンＡＦ（ゾーン任意選択）を示す。ゾーンＡＦ（ゾーン任意選択）において、システム制御部５０は、ＡＦ枠を、複数測距ゾーンに分け、ユーザに選択されたゾーン内に含まれるＡＦ枠を用いてピント合わせを行う。選択したゾーンの全ＡＦ枠で自動選択ＡＦを行うため、１点ＡＦよりもピントが合いやすく、動きのある被写体を撮影するときにも有効である。アイコン９４３は、ラージゾーンＡＦ（ゾーン任意選択）である。ラージゾーンＡＦ（ゾーン任意選択）において、システム制御部５０は、ＡＦ枠を、複数測距ゾーンに分け、ユーザに選択されたゾーン内に含まれるＡＦ枠を用いてピント合わせを行う。ラージゾーンＡＦ（ゾーン任意選択）の場合、ゾーンＡＦ（ゾーン任意選択）よりゾーン分けが少なく、１つのゾーンの範囲が大きくなる。アイコン９４４は、自動選択ＡＦを示す。自動選択ＡＦにおいて、システム制御部５０は、全てのＡＦ枠を使ってピント合わせを行い、基本的に最も近距離にある被写体にピントを合わせる。流し撮りモードが設定された場合、システム制御部５０は、デフォルトではアイコン９４３（ラージゾーンＡＦ（ゾーン任意選択））を選択する。流し撮りでは被写体が動くため１点ＡＦでは捉えづらく、より広い範囲でＡＦを検出するラージゾーンＡＦ（ゾーン任意選択）が好ましいためである。しかしながら、ＬＶがＯＦＦの場合（ファインダ撮影の場合）、ＬＶがＯＮの場合と異なり、システム制御部５０は、アイコン９４１〜９４４の全てを選択可能にする。ＬＶ撮影ではレンズシフトによる撮影アシストを行うため流し撮り初心者に好まれる傾向がある。よって、ＡＦ方式も限定的なものにし、気軽に流し撮りを楽しんでもらうが、ファインダ撮影では上級者が使用する可能性もあるため、ユーザが任意でＡＦ方式を選択できる余地も残す。
【００７２】
Ｓ８０５で、システム制御部５０は、ＡＦ動作をサーボに設定する。設定値は、システムメモリ５２に保存される。ＡＦ動作がサーボの場合、ユーザがシャッターボタン６１を半押ししている間、システム制御部５０は被写体にピントを合わせ続ける。そのため、動いている被写体の撮影に適している。他方、ＡＦ動作がワンショットの場合、ユーザがシャッターボタン６１を半押しすると、システム制御部５０は１回だけピント合わせを行う。そのため、止まっている被写体の撮影に適している。流し撮りでは動いている被写体にピントを合わせ続けたいので、ＡＦ動作サーボ設定が適している。
【００７３】
Ｓ８０６で、システム制御部５０は、操作部７０により撮影モードの選択の終了が指示されたか否かを判定する。終了が指示された場合、本フローチャートの処理は終了し、そうでない場合、処理はＳ８０１に戻る。流し撮りモードが選択された場合には、Ｓ８０６でＹｅｓとなった場合は、前述の図３の処理が開始される。
【００７４】
以上説明した実施形態によれば、デジタルカメラ１００は、ＭＦモードが選択されている間に、流し撮りの補助機能が有効である場合、所定の領域を示す補助枠（例えば、図５（ｂ）の補助枠５０３）をＬＶ画像に重畳して表示する。ユーザは、ライブビューを見ながら、補助枠５０３を目印として、動いている被写体であって、流し撮りで得られた画像で静止させたい被写体を補助枠５０３に合わせた状態を保つようにカメラをパンニングすることができる。すなわち、撮影範囲（画像）中の一定の位置に主被写体が位置するようにパンニング操作を行うことが容易になる。これによって、撮影範囲（画像）中の補助枠５０３の位置で、主被写体とカメラとの相対速度が少なくなるように撮影できる。すなわち、主被写体を補助枠５０３の位置で静止した状態で写すことが容易になり、特定の構図で流し撮りを行うことが容易になる。なお、領域を示す補助枠５０３を表示する例を説明したが、流し撮りの際に中に主被写体を収めるべき位置の目印となる表示であれば、枠状の表示に限らず、点や星型形状などのマークを表示しても良い。
【００７５】
また、表示部２８に、補助枠５０３とは別に、ＬＶ画像と重畳して３分割線や黄金比を示す線、セーフティーマーカーなどのグリッドラインを表示するものとしてもよい。ただしこれらのグリッドラインは流し撮りをアシストする専用の表示アイテムではない。従ってグリッドラインを表示する設定の場合は、流し撮りモード（流し撮りの補助機能が有効）であるか否かに関わらず、また、フォーカスモードに関わらずグリッドラインが表示されるものとする。なお、グリッドラインは、静止した被写体の構図をバランスよくするために効果的な機能であり、動いている被写体に対して効果的であるとは限らない。そのため、グリッドラインを表示する設定となっている場合にも、流し撮りモードになったことに応じてグリッドラインを非表示とするようにしてもよい。逆に、補助枠５０３は流し撮りモードでない場合には表示されず、流し撮りモードになったことに応じて表示される表示アイテムである（ＭＦモードの場合）。
【００７６】
なお、システム制御部５０が行うものとして説明した上述の各種制御は、１つのハードウェアが行ってもよいし、複数のハードウェアが処理を分担することで、装置全体の制御を行ってもよい。
【００７７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７８】
また、上述した実施形態においては、本発明をデジタルカメラに適用した場合を例にして説明したが、これはこの例に限定されず、流し撮りのできる撮像装置であれば適用可能である。すなわち、本発明は、撮像機能を有するパーソナルコンピュータやＰＤＡ、携帯電話端末や携帯型の画像ビューワなどに適用可能である。また、本発明は、撮像機能を有するデジタルフォトフレーム、音楽プレーヤー、ゲーム機、電子ブックリーダー、タブレット端末、スマートフォンなどにも適用可能である。
【００７９】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８０】
２２…撮像部、２４…画像処理部、２８…表示部、５０…システム制御部、５２…システムメモリ、５６…不揮発性メモリ、７０…操作部、１００…デジタルカメラ、１５０…レンズユニット
【図１】
2018037807.tif 000003
【図２】
2018037807.tif 000004
【図３】
2018037807.tif 000005
【図４】
2018037807.tif 000006
【図５】
2018037807.tif 000007
【図６】
2018037807.tif 000008
【図７】
2018037807.tif 000009
【図８】
2018037807.tif 000010
【図９】
2018037807.tif 000011